(57)【要約】【課題】通信のセキュリティを確保すると共に送受信者端末の負担を軽減することが可能な暗号化情報共有システム、暗号化情報共有方法およびそれに用いる情報中継サーバを提供する。【解決手段】ネットワーク４０を介して相互に接続された情報発信者端末２１、複数の情報受信者端末５２ａ〜５２ｎおよび情報中継サーバ３０を備えている。情報中継サーバ３０は、メール送受信部３１１、３１４、復号化部３１２、コンテンツ登録部３１３および要求処理部３１５を含むデータ処理装置３１と、鍵情報記憶部３２１、コンテンツ記憶部３２２およびユーザ情報記憶部３２３を含む記憶装置３２を備えている。【選択図】図１
2006253860.tif 000002
【特許請求の範囲】
【請求項１】
ネットワークを介して相互に接続された１つの端末（情報発信者端末）から送信される暗号化されたメールを他の複数の端末（情報受信者端末）により共有する暗号化情報共有システムにおいて、
前記情報発信者端末からの暗号化メールの復号化および前記情報受信者端末へのメール到着通知を行う情報中継サーバを備えることを特徴とする暗号化情報共有システム。
【請求項２】
前記情報発信者端末からの暗号化メールは、Ｓ／ＭＩＭＥ（Secure Multi-purpose Internet Mail Extensions）等の公開鍵暗号による暗号化メールであることを特長とする請求項１に記載の暗号化情報共有システム。
【請求項３】
前記情報発信者端末および前記情報受信者端末と前記情報中継サーバ間には、それぞれ情報発信者メールサーバおよび情報受信者メールサーバが介在することを特徴とする請求項１又は２に記載の暗号化情報共有システム。
【請求項４】
前記情報発信者端末および前記情報受信者端末と対応する前記メールサーバ間の通信は、ＳＭＴＰ（Simple Mail Transfer Protocol）により行うことを特徴とする請求項３に記載の暗号化情報共有システム。
【請求項５】
前記情報中継サーバは、情報処理装置および記憶装置を備え、
前記情報処理装置は、前記情報発信者メールサーバおよび情報受信者メールサーバとのメールの送受信をするメール送受信手段、前記受信メールを復号化する復号化手段、コンテンツおよびユーザ情報を登録するコンテンツ登録手段および前記情報受信者端末からのアクセス要求に対応する要求処理手段を含み、
前記記憶装置は、鍵情報を格納する鍵情報記憶部、前記コンテンツを格納するコンテンツ記憶部およびユーザ情報を格納するユーザ情報記憶部を含むことを特徴とする請求項１乃至４の何れかに記載の暗号化情報共有システム。
【請求項６】
ネットワークを介して相互接続された複数の端末および該端末のうち情報を発信する情報発信者端末および情報を受信する複数の情報受信者端末間における通信を仲介する情報中継サーバを含み、前記情報発信者端末からの暗号化されたメールを前記情報受信者端末で共有する暗号化情報共有方法において、
前記情報発信者端末が公開鍵で暗号化したメールを受信して秘密鍵を用いて前記情報中継サーバで復号するステップと、ＵＲＬを含む前記情報受信者端末宛のメールを送信して前記メールのコンテンツを前記ＵＲＬに対応して格納するステップと、前記情報受信者端末からのＨＴＴＰＳコンテンツ要求に対してユーザ認証後に前記コンテンツをＨＴＴＰＳで返信するステップとを備えることを特徴とする暗号化情報共有方法。
【請求項７】
前記暗号化メールに前記情報受信者端末で電子署名をつけるステップと、前記電子署名が登録情報と一致するメールを処理するステップとを備えることを特徴とする請求項６に記載の暗号化情報共有方法。
【請求項８】
ネットワークに接続された複数の端末のうちの情報発信者端末から暗号化されたメールを送信して複数の情報受信者端末で共有するため前記ネットワークに接続された情報中継サーバにおいて、
前記情報発信者端末および情報受信者端末のメール送受信するメール送受信手段、前記受信メールを復号化する復号化手段、前記メールのコンテンツを登録するコンテンツ登録手段および前記情報受信者端末からのアクセス要求に対処する要求処理手段を含むデータ処理装置と、前記復号化手段に送る鍵情報を格納する鍵情報記憶部、前記コンテンツを格納するコンテンツ記憶部および前記コンテンツ登録手段および前記要求処理手段に送るユーザ情報を格納するユーザ情報記憶部を含む記憶装置とを備えることを特徴とする情報中継サーバ。
【発明の詳細な説明】
【技術分野】
【０００１】
本発明は情報暗号化技術に関し、特に暗号化された情報を、ネットワークを介して共有する暗号化情報共有システム、暗号化情報共有方法およびそれに用いる情報中継サーバに関する。
【背景技術】
【０００２】
ネットワーク技術および通信技術の進歩により、多量のデータ（又は情報）がネットワークを介して伝送されている。斯かるネットワーク通信技術により、発信者および受信者が、それぞれ相手の都合に関わらず、自分の都合のよい時に発信し、また受信メールを開くことが可能である。しかし、通信ネットワークには、多くのユーザがアクセス可能であるので、ネットワークに乗せられる情報のセキュリティ（漏洩や盗聴防止）が重要である。特に、機密情報のネットワークを介する伝送に際しては、十分なセキュリティ対策が必要である。
【０００３】
一方、機密情報のネットワークを介する伝送であっても、特定のユーザ（例えば、同一企業内の特定メンバ）間では、複雑な操作を必要とすることなく、これらの情報に容易にアクセスする、即ち共有したい場合がある。
【０００４】
斯かる情報暗号化又は暗号化された情報の利用に関する又は関連する従来技術は、幾つかの技術文献に開示されている。情報発信者が一部分又は全体を暗号化した情報を電子掲示板に保存し、その後情報受信者が暗号化された情報を一旦取り出し、情報発信者に復号化のための鍵を請求し、この請求を受け取った情報発信者から電子メール等を使用して鍵を情報受信者に送付し、その鍵を使用して情報受信者端末上で復号化して情報を得る情報共有化システムが開示されている（例えば、特許文献１参照）。
【０００５】
また、電子メールシステム等により同報通信を行う場合に、通信者が任意の１人又は複数の通信相手と暗号鍵を共有することができる暗号通信方法および暗号通信システムが開示されている（例えば、特許文献２参照）。更に、メール送信する場合に、マスター鍵とメールの宛先リストとを基にグループ鍵を生成するＩＣカードを使用してユーザにかかる負担を軽減するデータ暗号化システム、情報処理装置、ＩＣカードおよびデータの暗号化方法等を開示されている（例えば、特許文献３参照）。
【０００６】
【特許文献１】特開平１‐９８０３２号公報（第２‐３頁、第１図）
【特許文献２】特開平６‐１５２５９２号公報（第７頁、第１図）
【特許文献３】特開平１１−８６１５号公報（第６−７頁、第１図）
【発明の開示】
【発明が解決しようとする課題】
【０００７】
上述した従来技術は、幾つかの課題を有する。先ず特許文献１の技術については、情報発信者側の負担が大きい。その理由は、情報受信者からの請求に対して、その都度復号化用の鍵を送付する必要があり、その際に本人確認や鍵の安全な送信手段の確保を行う必要があるためである。また、情報共有の遅延が生じる。その理由は、情報受信者が個々に電子掲示板の内容をチェックし、表題等を手がかりに自分の必要な情報であることを判断した上で、暗号化された情報を一旦取り出した上で、鍵の請求、復号化処理を行う必要があるためである。
【０００８】
また、上述した特許文献２および特許文献３の技術については、情報発信者および情報受信者双方のシステム導入時の負荷が大きい。その理由は、情報発信者および情報受信者の双方に対して、事前にＩＣカードを配布する必要があるためである。一方、ＩＣカードを使用しない形態をとった場合には、マスター鍵を安全に情報発信者および情報受信者の双方に配布する必要があるためである。
【０００９】
更に、ネットワークを使用して情報共有を行うシステムの別の例として、Ｓ／ＭＩＭＥ等の公開暗号による暗号化メールを使用する場合には、事前に情報受信者全員が個々に秘密鍵および公開鍵の生成および管理を行う。そして、公開鍵を情報発信者に送付し、情報発信者は、それをメールソフト等に設定する必要がある。情報受信者が多数になると、作業の負担が大きくなる。また、作業の負担を軽減するために、メーリングリストを利用し、メーリングリストとして１組の公開鍵、秘密鍵を生成し、情報受信者全員で秘密鍵を共有することも可能であるが、この場合には、秘密鍵の安全な送付方法や情報受信者でなくなった利用者からの秘密鍵の回収方法等のセキュリティ上の考慮が必要になる。
【００１０】
本発明は、従来技術の上述の如き課題に鑑みなされたものであり、斯かる課題を解決又は改善して、ネットワークを利用してセキュリティを確保すると共に情報共有を可能にする暗号化情報共有システム、暗号化情報共有方法およびそれに用いる情報中継サーバを提供することを主たる目的とする。
【課題を解決するための手段】
【００１１】
前述の課題を解決するため、本発明による暗号化情報共有システム、暗号化情報共有方法およびそれに用いる情報中継サーバは、次のような特徴的な構成を採用している。
【００１２】
（１）ネットワークを介して相互に接続された１つの端末（情報発信者端末）から送信される暗号化されたメールを他の複数の端末（情報受信者端末）により共有する暗号化情報共有システムにおいて、
前記情報発信者端末からの暗号化メールの復号化および前記情報受信者端末へのメール到着通知を行う情報中継サーバを備える暗号化情報共有システム。
（２）前記情報発信者端末からの暗号化メールは、Ｓ／ＭＩＭＥ（Secure Multi-purpose Internet Mail Extensions）等の公開鍵暗号による暗号化メールである上記（１）の暗号化情報共有システム。
（３）前記情報発信者端末および前記情報受信者端末と前記情報中継サーバ間には、それぞれ情報発信者メールサーバおよび情報受信者メールサーバが介在する上記（１）又は（２）の暗号化情報共有システム。
（４）前記情報発信者端末および前記情報受信者端末と対応する前記メールサーバ間の通信は、ＳＭＴＰ（Simple Mail Transfer Protocol）により行う上記（３）の暗号化情報共有システム。
（５）前記情報中継サーバは、情報処理装置および記憶装置を備え、
前記情報処理装置は、前記情報発信者メールサーバおよび情報受信者メールサーバとのメールの送受信をするメール送受信手段、前記受信メールを復号化する復号化手段、コンテンツおよびユーザ情報を登録するコンテンツ登録手段および前記情報受信者端末からのアクセス要求に対応する要求処理手段を含み、
前記記憶装置は、鍵情報を格納する鍵情報記憶部、前記コンテンツを格納するコンテンツ記憶部およびユーザ情報を格納するユーザ情報記憶部を含む上記（１）乃至（４）の何れかの暗号化情報共有システム。
（６）ネットワークを介して相互接続された複数の端末および該端末のうち情報を発信する情報発信者端末および情報を受信する複数の情報受信者端末間における通信を仲介する情報中継サーバを含み、前記情報発信者端末からの暗号化されたメールを前記情報受信者端末で共有する暗号化情報共有方法において、
前記情報発信者端末が公開鍵で暗号化したメールを受信して秘密鍵を用いて前記情報中継サーバで復号するステップと、ＵＲＬを含む前記情報受信者端末宛のメールを送信して前記メールのコンテンツを前記ＵＲＬに対応して格納するステップと、前記情報受信者端末からのＨＴＴＰＳコンテンツ要求に対してユーザ認証後に前記コンテンツをＨＴＴＰＳで返信するステップとを備えることを特徴とする暗号化情報共有方法。
（７）前記暗号化メールに前記情報受信者端末で電子署名をつけるステップと、前記電子署名が登録情報と一致するメールを処理するステップとを備える上記（６）の暗号化情報共有方法。
（８）ネットワークに接続された複数の端末のうちの情報発信者端末から暗号化されたメールを送信して複数の情報受信者端末で共有するため前記ネットワークに接続された情報中継サーバにおいて、
前記情報発信者端末および情報受信者端末のメール送受信するメール送受信手段、前記受信メールを復号化する復号化手段、前記メールのコンテンツを登録するコンテンツ登録手段および前記情報受信者端末からのアクセス要求に対処する要求処理手段を含むデータ処理装置と、前記復号化手段に送る鍵情報を格納する鍵情報記憶部、前記コンテンツを格納するコンテンツ記憶部および前記コンテンツ登録手段および前記要求処理手段に送るユーザ情報を格納するユーザ情報記憶部を含む記憶装置とを備える情報中継サーバ。
【発明の効果】
【００１３】
本発明の暗号化情報共有システム、暗号化情報共有方法およびそれに用いる情報中継サーバによると、次の如き実用上の顕著な効果が得られる。第１に、暗号化によるセキュリティの確保が可能である。その理由は、情報発信者端末から情報中継サーバまでの間は、Ｓ／ＭＩＭＥ等の公開鍵方式によるメール暗号化が行われており、情報中継サーバから情報受信者端末の間では、ＨＴＴＰＳにより通信自体が暗号化されているためである。また、情報にアクセスするためのＵＲＬ自体は平分でネットワークを流れるが、アクセスするためにはユーザ認証が必要となるため、第三者が情報にアクセスすることは不可能であるためである。
【００１４】
第２に、情報発信者と情報受信者の双方の負担が軽減される。その理由は、情報発信者端末には、Ｓ／ＭＩＭＥ等の公開鍵暗号による暗号化メールの送信が可能なメールソフトウェアを、情報受信者端末には、メールソフトウェアとＨＴＴＰＳをサポートしたＷｅｂブラウザとが導入されていればよく、特に現在広く流通しているＰＣ（パーソナルコンピュータ）を使用する場合は、これらのソフトウェアは導入済みであり、新規に導入作業を行う必要がないためである。また、鍵の交換、管理もこれらのソフトウェアがユーザ操作の介在なしに自動的に実行するため、運用上の負担も軽減されるためである。
【実施例】
【００１５】
以下、本発明による暗号化情報共有システム、暗号化情報共有方法および情報中継サーバの好適実施例の構成および動作を、添付図面を参照して詳細に説明する。
【００１６】
先ず、図１は、本発明による暗号化情報共有システムの概要を示すシステム構成図である。この暗号化情報共有システム１０は、情報発信者端末２１、情報発信者メールサーバ２２、情報中継サーバ３０、ネットワーク４０、複数の情報受信者メールサーバ５１ａ〜５１ｎおよび対応する複数の情報受信者端末５２ａ〜５２ｎにより構成される。これら情報発信者端末２１、情報発信者メールサーバ２２、情報中継サーバ３０、複数の情報受信者メールサーバ５１ａ〜５１ｎおよび複数の情報受信者端末５２ａ〜５２ｎは、ネットワーク４０を介して相互に接続されている。
【００１７】
次に、図２は、図１に示す暗号化情報共有システム１０、特に情報中継サーバ３０の詳細構成を示す機能ブロック図である。情報中継サーバ３０は、データ処理装置３１および記憶装置３２により構成されている。
【００１８】
データ処理装置３１は、メール受信部（又はメール受信手段）３１１、復号化部（又は復号化手段）３１２、コンテンツ登録部（又はコンテンツ登録手段）３１３、メール送信部（又はメール送信手段）３１４および要求処理部（又は要求処理手段）３１５を含んでいる。また、記憶装置３２は、鍵情報記憶部３２１、コンテンツ記憶部３２２およびユーザ情報記憶部３２３を含んでいる。
【００１９】
情報中継サーバ３０において、メール受信部３１１および記憶装置３２の鍵情報記憶部３２１は、復号化部３１２に接続されている。復号化部３１２は、コンテンツ登録部３１３に接続されている。また、コンテンツ登録部３１３は、コンテンツ記録部３２２およびメール送信部３１４に接続されている。更に、コンテンツ記憶部３２２は、要求処理部３１５に接続されている。ユーザ情報記憶部３２３は、コンテンツ登録部３１３および要求処理部３１５に接続されている。
【００２０】
情報発信者端末２１は、情報発信者メールサーバ２２を介して情報中継サーバ３０のデータ処理装置３１のメール受信部３１１に接続されている。一方、情報受信者端末５２ａ〜５２ｎは、情報中継サーバ３０のデータ処理部３１の要求処理部３１５に接続されると共にそれぞれの情報受信者メールサーバ５１ａ〜５１ｎを介して情報中継サーバ３０のデータ処理装置３１のメール送信部３１４に接続されている。
【００２１】
ここで、ネットワーク４０は、インターネットおよびそれにダイアルアップで接続するための公衆網等又はＶＰＮ（Virtual Private Network）等、ＬＡＮ（Local Area Network）又はＷＡＮ（Wide Area Network）等で企業内に構築されたネットワーク又はこれら両者を、ファイアウォール等を介して接続されたものである。後述する如く、各要素間での接続に用いられるネットワークプロトコルの通信が可能であるように適宜調整されているものとする。例えば、情報発信者端末２１から情報発信者メールサーバ２２へはＳＭＴＰ（Simple Mail Transfer Protocol）で通信することが可能なように調整されている。尚、図２においては、便宜上ネットワーク４０を省略している。
【００２２】
情報発信者端末２１は、Ｓ／ＭＩＭＥ（Secure Multi-purpose Interface Mail Extensions）等の公開鍵暗号による暗号化メールの送信が可能なメールソフトウェアが導入され、情報発信者メールサーバ２２に対してＳＭＴＰを使用してメール送信が実行できるものとする。尚、説明を簡単にするため、ここでは情報発信者端末２１および情報発信者メールサーバ２２は、それぞれ単一であるが、複数であってもよく、また情報受信者端末５２ａ〜５２ｎと重複していても重複していなくてもよい。
【００２３】
情報発信者メールサーバ２２は、ＳＭＴＰを使用して受信したメールを情報中継サーバ３０に対して転送を行う。尚、一般的には、情報発信者メールサーバ２２および情報中継サーバ３０間には複数のメールサーバがメールの転送に介在するが、図１および図２中では省略している。これは、情報中継サーバ３０と情報受信者メールサーバ５１ａ〜５１ｎとの間についても同様である。
【００２４】
情報中継サーバ３０において、メール受信部３１１は、情報発信者メールサーバ２２からＳＭＴＰで転送されてきた、情報発信者端末２１からの暗号化メールを受信して復号化部３１２に渡す。そこで、復号化部３１２は、鍵情報記憶部３２１から取り出した秘密鍵情報を使用して、受信した暗号化メールを復号化してコンテンツ登録部３１３に渡す。
【００２５】
コンテンツ登録部３１３は、復号化されたメールの内容をＨＴＭＬ（Hyper Text Markup Language）等の形式に変換する。そして、変換されたメールの内容をコンテンツ記憶部３２２に保存すると共にユーザ情報記憶部３２２から取得した各情報受信者のメールアドレスを宛先とし、コンテンツ参照用ＵＲＬ（Uniform Resource Locator）の情報を含むメールの到着を知らせる通知メールを作成してメール送信部３１４に渡す。
【００２６】
メール送信部３１４は、情報受信者メールサーバ５１ａ〜５１ｎに対してＳＭＴＰでメールを転送する。このときには、暗号化の処理は行わない。情報受信者端末５２ａ〜５２ｎは、メールソフトウェアおよびＨＴＴＰＳ（Hyper Text Transfer protocol Security）をサポートしているＷｅｂブラウザが導入されている。それぞれ、情報受信者メールサーバ５１ａ〜５１ｎが情報中継サーバ３０から受信したメールを取得できる。また、メールに含まれる参照用ＵＲＬ情報により、Ｗｅｂブラウザを使用して情報中継サーバ３０に対してＨＴＴＰＳでコンテンツ要求を行い、その応答を表示部（図示せず）に表示可能であるものとする。
【００２７】
要求処理手段３１５は、情報受信者端末５２ａ〜５２ｎから受け取るＨＴＴＰＳでのアクセス要求に対して、ユーザ情報記憶部３２２から取得したユーザ情報を参照し、パスワード認証等の標準的な手順によるユーザ認証とアクセス権限の確認を行う。そして、コンテンツ記憶部３２２から保存されていたメールの内容を取得して情報受信者端末５２ａ〜５２ｎにＨＴＴＰＳで応答を返す。
【００２８】
次に、図３を参照して、図１および図２に示す本発明による暗号化情報共有システム１０の動作を詳細に説明する。図３は、情報受信者端末２１、情報受信者メールサーバ２２、情報中継サーバ３０、複数の情報受信者メールサーバ５１a〜５１ｎおよび複数の情報受信者端末５２ａ〜５２ｎ間の動作を示すシーケンス図である。
【００２９】
図３のシーケンス図において、情報発信者端末２１から情報を送信する場合について説明する。先ず、事前に入手した情報中継サーバ３０の公開鍵を使用してメールソフトウェアで事前に取り決めた方式（例えば、Ｓ／ＭＩＭＥ）で暗号化を行う（ステップＳ１）。この暗号化された情報を、情報中継サーバ３０を宛先としたメールとして、ＳＭＴＰで情報発信者メールサーバ２２に送信する（ステップＳ２）。
【００３０】
情報発信者メールサーバ２２は、受け取った暗号化メールを情報中継サーバ３０にＳＭＴＰで転送する（ステップＳ３）。次に、情報中継サーバ３０は、メール受信部３１１で受信した暗号化メールを復号化部３１２で復号化する（ステップＳ４）。そして、コンテンツ登録部３１３によりコンテンツ記憶部３２２への登録を行う（ステップＳ５）、各情報受信者端末５２ａ〜５２ｎ宛の、コンテンツへの参照ＵＲＬを含む通知メールを作成し、メール送信部３１４から情報受信者メールサーバ５１ａ〜５１ｎに対してＳＭＴＰでメールを転送する（ステップＳ６）。情報受信者端末５２ａ〜５２ｎは、各々情報受信者メールサーバ５１ａ〜５１ｎから通知メールを受信する（ステップＳ７およびステップＳ８）。そして、ユーザ操作により、通知メールに含まれるコンテンツ参照用ＵＲＬを使用して、ＷｅｂブラウザからＨＴＴＰＳで情報中継サーバ３０にコンテンツの要求を行う（ステップＳ９およびステップＳ１０）。
【００３１】
最後に、情報中継サーバ３０は、情報受信者端末５２ａ〜５２ｎからのコンテンツ要求を要求処理部３１５で受け、パスワード認証等の標準的な手順によるユーザ認証およびアクセス権限の確認を行い、コンテンツ記憶部３２２に保存されていたメール内容をＨＴＴＰＳで応答として情報受信者端末５２ａ〜５２ｎに返す（ステップＳ１１およびステップＳ１２）。情報受信者端末５２ａ〜５２ｎのＷｅｂブラウザは、情報中継サーバ３０からのＨＴＴＰＳでの応答として得られたメール内容を上述した表示部に表示する。
【００３２】
上述した一連の流れ（又は動作）により、情報発信者端末２１から発信された情報が、情報受信者端末５２ａ〜５２ｎのブラウザに表示される。そして、これら情報受信者端末５２ａ〜５２ｎのユーザは、受信した暗号化情報を共有可能である。
【００３３】
次に、本発明による暗号化情報共有システムおよび暗号化情報共有方法の他の実施例又は変形実施例について説明する。先ず、Ｓ／ＭＩＭＥ等による暗号化メールを受信できる情報受信者に対しては、その公開鍵情報をユーザ情報記憶部３２３に予め登録しておき、通知メールを送信する代わりに、暗号化したメールを直接送付するというようにしてもよい。
【００３４】
また、情報送信者をＳ／ＭＩＭＥ等によるメールへの電子署名ができるものに限定し、コンテンツ登録部３１３において、ユーザ情報記憶部３２３の情報と電子署名を照合し、許可された情報発信者からの情報のみを処理するようにしてもよい。
【００３５】
以上、本発明による暗号化情報共有システムおよび暗号化情報共有方法の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。また、本発明は、企業内又は企業間での特定多数のメンバによる技術情報等の情報共有の用途に好適である。
【図面の簡単な説明】
【００３６】
【図１】本発明による暗号化情報共有システムの好適実施例の全体概要を示すシステム構成図である。
【図２】図１中の主として情報中継サーバの詳細構成を示す機能ブロック図である。
【図３】図１および図２に示す暗号化情報共有システムの動作を説明するためのシーケンス図である。
【符号の説明】
【００３７】
１０  暗号化情報共有システム
２１  情報発信者端末
２２  情報発信者メールサーバ
３０  情報中継サーバ
３１  データ処理装置
３１１  メール受信部
３１２  復号化部
３１３  コンテンツ登録部
３１４  メール送信部
３１５  要求処理部
３２  記憶装置
３２１  鍵情報記憶部
３２２  コンテンツ記憶部
３２３  ユーザ情報記憶部
４０  ネットワーク
５１ａ〜５１ｎ  情報受信者メールサーバ
５２ａ〜５２ｎ  情報受信者端末
【図１】
2006253860.tif 000003
【図２】
2006253860.tif 000004
【図３】
2006253860.tif 000005